(57)【要約】  ユーザ装置は、ＮＲ（New Radio）無線通信システムにおけるマスタノードである第１の基地局装置及びＮＲ無線通信システムにおけるセカンダリノードである第２の基地局装置と通信を行う通信部と、前記第１の基地局装置からシステムフレームナンバ及びフレームタイミングのセル間の差分を示すＳＦＴＤ（SFN and frame timing difference）を測定する指示を受信する受信部と、前記ＳＦＴＤを測定する指示に基づいて、前記第１の基地局装置のセルと前記第２の基地局装置のセルとのＳＦＴＤを測定する制御部と、前記測定されたＳＦＴＤを含む測定結果を前記第１の基地局装置に送信する送信部とを有する。
2020161907.tif 000002
【特許請求の範囲】
【請求項１】
ＮＲ（New Radio）無線通信システムにおけるマスタノードである第１の基地局装置及びＮＲ無線通信システムにおけるセカンダリノードである第２の基地局装置と通信を行う通信部と、
前記第１の基地局装置からシステムフレームナンバ及びフレームタイミングのセル間の差分を示すＳＦＴＤ（SFN and frame timing difference）を測定する指示を受信する受信部と、
前記ＳＦＴＤを測定する指示に基づいて、前記第１の基地局装置のセルと前記第２の基地局装置のセルとのＳＦＴＤを測定する制御部と、
前記測定されたＳＦＴＤを含む測定結果を前記第１の基地局装置に送信する送信部とを有するユーザ装置。
【請求項２】
前記ＳＦＴＤを測定する指示は、前記第２の基地局装置のＰＳＣｅｌｌ（Primary Secondary Cell）又は前記第２の基地局装置の隣接セルのいずれがＳＦＴＤを測定する対象のセルであるかを示す情報を含む請求項１記載のユーザ装置。
【請求項３】
前記いずれがＳＦＴＤを測定する対象のセルであるかを示す情報が、前記第２の基地局装置の隣接セルを示す場合、前記第２の基地局装置の隣接セルのうちいずれを測定するかを示す情報が前記ＳＦＴＤを測定する指示に含まれる請求項２記載のユーザ装置。
【請求項４】
前記制御部は、前記いずれがＳＦＴＤを測定する対象のセルであるかを示す情報が前記第２の基地局装置の隣接セルを示す場合、かつ、前記ＳＦＴＤを測定する指示が前記第２の基地局装置の隣接セルのうちいずれを測定するかを示す情報を含まない場合、前記第２の基地局装置の隣接セルのうち受信環境が良い上位３つのセルをＳＦＴＤを測定する対象のセルとする請求項２記載のユーザ装置。
【請求項５】
前記制御部は、前記ＳＦＴＤを測定する指示が、ＲＳＲＰ（Reference Signal Received Power）、ＲＳＲＱ（Reference Signal Received Quality）又はＳＩＮＲ（Signal to Interference plus Noise power Ratio）を測定する指示を含む場合、ＳＦＴＤを測定する対象のセルのＲＳＲＰ、ＲＳＲＱ又はＳＩＮＲを測定する請求項２記載のユーザ装置。
【請求項６】
前記送信部は、マスタノード及びセカンダリノードが共にＮＲ無線通信システムである場合のＳＦＴＤ測定と、マスタノードがＮＲ無線通信システムでありセカンダリノードがＬＴＥ無線通信システムである場合のＳＦＴＤ測定との双方に対応する情報要素を使用する請求項１記載のユーザ装置。
【発明の詳細な説明】
【技術分野】
【０００１】
本発明は、無線通信システムにおけるユーザ装置に関する。
【背景技術】
【０００２】
ＬＴＥ（Long Term Evolution）の後継システムであるＮＲ（New Radio）（「５Ｇ」ともいう。）においては、要求条件として、大容量のシステム、高速なデータ伝送速度、低遅延、多数の端末の同時接続、低コスト、省電力等を満たす技術が検討されている（例えば非特許文献１）。【０００３】
ＮＲシステムでは、ＬＴＥシステムにおけるデュアルコネクティビティと同様に、ＬＴＥシステムの基地局（ｅＮＢ）とＮＲシステムの基地局（ｇＮＢ）との間でデータを分割し、これらの基地局によってデータを同時送受信する、ＬＴＥ−ＮＲデュアルコネクティビティ、ＮＲ−ＮＲデュアルコネクテビティ又はマルチＲＡＴ（Multi Radio Access Technology）デュアルコネクティビティ（以下、「ＭＲ−ＤＣ」という。）と呼ばれる技術が導入されている（例えば非特許文献２）。また、ＬＴＥ−ＮＲデュアルコネクティビティにおいては、マスタノードであるｅＮＢとセカンダリノードであるｇＮＢとの間のＳＦＮ（System Frame Number）及びサブフレームタイミングの差をユーザ装置が測定し、ネットワークに報告するＳＦＴＤ（SFN and Frame Timing Difference）がサポートされている（例えば非特許文献３）。
【先行技術文献】
【非特許文献】
【０００４】
【非特許文献１】３ＧＰＰ  ＴＳ  ３８．３００  Ｖ１５．４．０（２０１８−１２）
【非特許文献２】３ＧＰＰ  ＴＳ  ３７．３４０  Ｖ１５．４．０（２０１８−１２）
【非特許文献３】３ＧＰＰ  ＴＳ  ３８．２１５  Ｖ１５．４．０（２０１８−１２）
【発明の概要】
【発明が解決しようとする課題】
【０００５】
ｇＮＢがマスタノードであるＮＲ−ＮＲデュアルコネクティビティ又はＮＲ−ＬＴＥデュアルコネクテビティにおいて、非同期のデュアルコネクティビティを行う場合、マスタノードであるｇＮＢとセカンダリノードであるｇＮＢ又はｅＮＢとの間でフレーム、スロット又はシンボルタイミング差がどれくらいあるかが不明であるため、ユーザ装置がｇＮＢ又はｅＮＢのセルに対して測定を実行する必要がある。しかしながら、当該測定の手順が確立されていなかった。【０００６】
本発明は上記の点に鑑みてなされたものであり、無線通信システムで実行されるデュアルコネクティビティにおけるタイミング差の測定をユーザ装置が実行することを目的とする。
【課題を解決するための手段】
【０００７】
開示の技術によれば、ＮＲ（New Radio）無線通信システムにおけるマスタノードである第１の基地局装置及びＮＲ無線通信システムにおけるセカンダリノードである第２の基地局装置と通信を行う通信部と、前記第１の基地局装置からシステムフレームナンバ及びフレームタイミングのセル間の差分を示すＳＦＴＤ（SFN and frame timing difference）を測定する指示を受信する受信部と、前記ＳＦＴＤを測定する指示に基づいて、前記第１の基地局装置のセルと前記第２の基地局装置のセルとのＳＦＴＤを測定する制御部と、前記測定されたＳＦＴＤを含む測定結果を前記第１の基地局装置に送信する送信部とを有するユーザ装置が提供される。
【発明の効果】
【０００８】
開示の技術によれば、無線通信システムで実行されるデュアルコネクティビティにおけるタイミング差の測定をユーザ装置が実行することができる。
【図面の簡単な説明】
【０００９】
【図１】本発明の実施の形態におけるネットワークアーキテクチャの構成例を示す図である。
【図２】本発明の実施の形態における無線通信システムの構成例を示す図である。
【図３】本発明の実施の形態における動作例を説明するためのシーケンス図である。
【図４】本発明の実施の形態における第１の動作例を説明するためのフローチャートである。
【図５】本発明の実施の形態における第２の動作例を説明するためのフローチャートである。
【図６】本発明の実施の形態におけるの動作例に係る仕様変更例である。
【図７】本発明の実施の形態における第１の動作例に係る仕様変更例（１）である。
【図８】本発明の実施の形態における第１の動作例に係る仕様変更例（２）である。
【図９】本発明の実施の形態における第１の動作例に係る仕様変更例（３）である。
【図１０】本発明の実施の形態における第１の動作例に係る仕様変更例（４）である。
【図１１】本発明の実施の形態における第１の動作例に係る仕様変更例（５）である。
【図１２】本発明の実施の形態における第１の動作例に係る仕様変更例（６）である。
【図１３】本発明の実施の形態における第１の動作例に係る仕様変更例（７）である。
【図１４】本発明の実施の形態における第１の動作例に係る仕様変更例（８）である。
【図１５】本発明の実施の形態における第１の動作例に係る仕様変更例（９）である。
【図１６】本発明の実施の形態における第１の動作例に係る仕様変更例（１０）である。
【図１７】本発明の実施の形態における第２の動作例に係る仕様変更例（１）である。
【図１８】本発明の実施の形態における第２の動作例に係る仕様変更例（２）である。
【図１９】本発明の実施の形態における第２の動作例に係る仕様変更例（３）である。
【図２０】本発明の実施の形態における基地局装置１０の機能構成の一例を示す図である。
【図２１】本発明の実施の形態におけるユーザ装置２０の機能構成の一例を示す図である。
【図２２】本発明の実施の形態における基地局装置１０又はユーザ装置２０のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１２】
また、以下で説明する本発明の実施の形態では、既存のＬＴＥで使用されているＳＳ（Synchronization signal）、ＰＳＳ（Primary SS）、ＳＳＳ（Secondary SS）、ＰＢＣＨ（Physical broadcast channel）、ＰＲＡＣＨ（Physical random access channel）、等の用語を使用する。これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ等に対応する。ただし、ＮＲに使用される信号であっても、必ずしも「ＮＲ−」と明記しない。
【００１３】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１４】
また、本発明の実施の形態において、無線パラメータ等が「設定される（Configure）」とは、所定の値が予め設定（Pre-configure）されることであってもよいし、基地局装置１０又はユーザ装置２０から通知される無線パラメータが設定されることであってもよい。
【００１５】
図１は、本発明の実施の形態におけるネットワークアーキテクチャの構成例を示す図である。図１に示されるように、本発明の実施の形態における無線ネットワークアーキテクチャは、ＬＴＥ−Ａｄｖａｎｃｅｄ側において、４Ｇ−ＣＵ、４Ｇ−ＲＵ（Remote Unit、リモート無線局）、ＥＰＣ（Evolved Packet Core）等を含む。本発明の実施の形態における無線ネットワークアーキテクチャは、５Ｇ側において、５Ｇ−ＣＵ、５Ｇ−ＤＵ等を含む。
【００１６】
図１に示されるように、４Ｇ−ＣＵは、ＲＲＣ（Radio Resource Control）、ＰＤＣＰ（Packet Data Convergence Protocol）、ＲＬＣ（Radio Link Control）、ＭＡＣ（Medium Access Control）、Ｌ１（レイヤ１、ＰＨＹ層又は物理層）までのレイヤを含み、ＣＰＲＩ（Common Public Radio Interface）を介して４Ｇ−ＲＵと接続されている。４Ｇ−ＣＵ及び４Ｇ−ＲＵを含むネットワークノードをｅＮＢという。
【００１７】
一方、５Ｇ側において、図１に示されるように、５Ｇ−ＣＵは、ＲＲＣレイヤを含み、５Ｇ−ＤＵとＦＨ（Flonthaul）インタフェースを介して接続され、５ＧＣ（5G Core Network）とＮＧインタフェース（NG interface）を介して接続されている。また、５Ｇ−ＣＵは、４Ｇ−ＣＵとＸ２インタフェースで接続されている。４Ｇ−ＣＵにおけるＰＤＣＰレイヤが、４Ｇ−５ＧのＤＣ（Dual Connectivity）すなわちＥＮ−ＤＣ（E-UTRA-NR Dual Connectivity）を行う場合の結合又は分離ポイントとなる。５Ｇ−ＣＵ及び５Ｇ−ＤＵを含むネットワークノードをｇＮＢという。また、５Ｇ−ＣＵをｇＮＢ−ＣＵ、５Ｇ−ＤＵをｇＮＢ−ＤＵと呼んでもよい。
【００１８】
また、図１に示されるように、４Ｇ−ＲＵ間において、ＣＡ（Carrier Aggregation）が行われ、４Ｇ−ＲＵと５Ｇ−ＤＵとで、ＤＣが行われる。なお図示しないが、ＵＥ（User Equipment）が、４Ｇ−ＲＵ又は５Ｇ−ＤＵのＲＦを介して無線接続され、パケットを送受信する。
【００１９】
なお、図１は、ＬＴＥ−ＮＲのＤＣすなわちＥＮ−ＤＣ（E-UTRA-NR Dual Connectivity）時の無線ネットワークアーキテクチャを示している。しかしながら、４Ｇ−ＣＵをＣＵ−ＤＵに分離する場合、又はＮＲスタンドアロン運用する場合も、同様の無線ネットワークアーキテクチャが使用されてよい。４Ｇ−ＣＵをＣＵ−ＤＵに分離する場合、ＲＲＣレイヤ及びＰＤＣＰレイヤに係る機能を４Ｇ−ＣＵに移し、ＲＬＣレイヤ以下を４Ｇ−ＤＵに含める構成としてもよい。なお、ＣＵ−ＤＵ分離によって、ＣＰＲＩのデータレートが低減されてもよい。
【００２０】
なお、５Ｇ−ＣＵに、複数の５Ｇ−ＤＵが接続されていてもよい。また、複数の５Ｇ−ＣＵにＵＥが接続することによって、ＮＲ−ＤＣ（NR-NR Dual Connectivity）が行われてもよく、複数の５Ｇ−ＤＵ及び単一の５Ｇ−ＣＵにＵＥが接続することによってＮＲ−ＤＣが行われてもよい。
【００２１】
図２は、本発明の実施の形態に係る無線通信システムの構成例を示す図である。図２はＭＲ−ＤＣ（Multi-RAT Dual Connectivity）時の無線通信システムを示す概略図である。
【００２２】
図２に示されるように、ユーザ装置２０は、ＮＲシステムによって提供される基地局装置１０Ａ、ＮＲシステムによって提供される基地局装置１０Ｂ（以降、基地局装置１０Ａと基地局装置１０Ｂを区別しない場合「基地局装置１０」として参照されてもよい。）と通信する。さらにユーザ装置２０は、基地局装置１０Ａをマスタノード（以下、「ＭＮ」ともいう。）とし、基地局装置１０Ｂをセカンダリノード（以下、「ＳＮ」ともいう。）とするＮＲ−ＮＲデュアルコネクティビティ、すなわちＮＲ−ＤＣをサポートする。ユーザ装置２０は、マスタノードである基地局装置１０Ａ及びセカンダリノードである基地局装置１０Ｂにより提供される複数のコンポーネントキャリアを同時に利用して、マスタノードである基地局装置１０Ａ及びセカンダリノードである基地局装置１０Ｂと同時送信又は同時受信を実行することが可能である。
【００２３】
また、図２に示されるように、ユーザ装置２０は、ＬＴＥシステムによって提供される基地局装置１０Ａ、ＮＲシステムによって提供される基地局装置１０Ｂと通信してもよい。さらにユーザ装置２０は、基地局装置１０ＡをＭＮとし、基地局装置１０ＢをＳＮとするＬＴＥ−ＮＲデュアルコネクティビティ、すなわちＥＮ−ＤＣをサポートしてもよい。ユーザ装置２０は、マスタノードである基地局装置１０Ａ及びセカンダリノードである基地局装置１０Ｂにより提供される複数のコンポーネントキャリアを同時に利用して、マスタノードである基地局装置１０Ａ及びセカンダリノードである基地局装置１０Ｂと同時送信又は同時受信を実行することが可能である。
【００２４】
また、図２に示されるように、ユーザ装置２０は、ＮＲシステムによって提供される基地局装置１０Ａ、ＬＴＥシステムによって提供される基地局装置１０Ｂと通信してもよい。さらにユーザ装置２０は、基地局装置１０ＡをＭＮとし、基地局装置１０ＢをＳＮとするＮＲ−ＬＴＥデュアルコネクティビティ、すなわちＮＥ−ＤＣ（NR-E-UTRA Dual Connectivity）をサポートしてもよい。ユーザ装置２０は、マスタノードである基地局装置１０Ａ及びセカンダリノードである基地局装置１０Ｂにより提供される複数のコンポーネントキャリアを同時に利用して、マスタノードである基地局装置１０Ａ及びセカンダリノードである基地局装置１０Ｂと同時送信又は同時受信を実行することが可能である。
【００２５】
なお、以下の実施例は、ＮＲ−ＮＲデュアルコネクティビティ、ＮＲ−ＬＴＥデュアルコネクティビティ又はＬＴＥ−ＮＲデュアルコネクティビティに関して説明されるが、本発明の実施の形態に係るユーザ装置２０は、上記のデュアルコネクティビティに限定されず、異なるＲＡＴを利用した複数の無線通信システムの間のデュアルコネクティビティ、すなわち、ＭＲ−ＤＣに適用可能である。
【００２６】
図３は、本発明の実施の形態における動作例を説明するためのシーケンス図である。ステップＳ１において、基地局装置１０は、ＲＲＣメッセージを介して、情報要素ｍｅａｓＣｏｎｆｉｇを含むＲＲＣＣｏｎｎｅｃｔｉｏｎＲｅｃｏｎｆｉｇｕｒａｔｉｏｎをユーザ装置２０に送信する。ｍｅａｓＣｏｎｆｉｇには、ユーザ装置２０が実行する測定の設定に関する情報が含まれる。例えば、ｉｎｔｒａ−ｆｒｅｑｕｅｎｃｙ測定、ｉｎｔｅｒ−ｆｒｅｑｕｅｎｃｙ測定、ｉｎｔｅｒ−ＲＡＴ  ｍｏｂｉｌｉｔｙ測定及び測定ギャップ設定等に関する情報が含まれてよい。なお、ＲＲＣＣｏｎｎｅｃｔｉｏｎＲｅｃｏｎｆｉｇｕｒａｔｉｏｎは一例であり、他のＲＲＣメッセージによってｍｅａｓＣｏｎｆｉｇは通知されてもよく、例えば、ＲＲＣＣｏｎｎｅｃｔｉｏｎＲｅｓｕｍｅを介してユーザ装置２０にｍｅａｓＣｏｎｆｉｇは送信されてもよい。
【００２７】
ステップＳ２において、ユーザ装置２０は、ステップＳ１で受信したｍｅａｓＣｏｎｆｉｇによる設定に基づいて測定を実行する。ＬＴＥセル又はＮＲセルに対して、必要な測定が実行される。本発明の実施の形態では、ユーザ装置２０は主にＳＦＴＤの測定を実行する。
【００２８】
ＮＲのマスタノードとＮＲ又はＬＴＥのセカンダリノードとで、非同期のＤＣが行われる場合を想定する。非同期のＤＣにおいては、マスタノードとセカンダリノードとの間で、無線フレーム、スロット又はシンボルタイミング差がどれくらいであるかが不明である。ＤＣにおいては、マスタノード（「ＰＣｅｌｌ（Primary Cell）」に対応する。）とセカンダリノード（「ＰＳＣｅｌｌ（Primary Secondary Cell）」に対応する。）との間のＳＦＮ及びフレームタイミングをユーザ装置２０は測定して、基地局装置１０に報告するＳＦＴＤ測定がサポートされる。ＳＦＴＤ測定を実行することによって、例えば、マスタノードとセカンダリノード間において、ＤＲＸ（Discontinuous reception）のアクティブ期間を同期させることができる。ＮＲにおけるＳＦＴＤ測定は、 ＰＣｅｌｌとＰＳＣｅｌｌ間のＳＦＮオフセット、フレーム境界オフセットをユーザ装置２０は測定し、基地局装置１０に報告する。
【００２９】
ステップＳ３において、ユーザ装置２０は、ステップＳ２で実行した測定結果をＲＲＣメッセージＭｅａｓｕｒｅｍｅｎｔＲｅｐｏｒｔを介して基地局装置１０に送信する。基地局装置１０は、受信した測定結果を参照して、ユーザ装置２０に必要な無線リソースの設定及びスケジューリング等を実行する。
【００３０】
図４は、本発明の実施の形態における第１の動作例を説明するためのフローチャートである。ステップＳ１２は、図３に示されるステップＳ１２と同様である。図４に示されるフローチャートは、ＮＲ−ＤＣ又はＮＥ−ＤＣによる通信を行うユーザ装置２０によって実行される。マスタノードはｇＮＢであり、セカンダリノードはｇＮＢ又はｅＮＢである。
【００３１】
ステップＳ１２１ａにおいて、ユーザ装置２０は、ＳＦＴＤに係るＥ−ＵＴＲＡのＰＳＣｅｌｌ測定又は隣接セル測定が設定されているか否かを判定する。当該測定が設定されている場合（Ｓ１２１ａのＹＥＳ）、ステップＳ１２２ａに進み、当該測定が設定されていない場合（Ｓ１２１ａのＮＯ）、ステップＳ１２４ａに進む。
【００３２】
ステップＳ１２２ａにおいて、ユーザ装置２０は、ＳＦＴＤ測定対象セルと、ＮＲのＰＣｅｌｌとのＳＦＴＤ測定を実行する。さらに、ユーザ装置２０は、ＳＦＴＤ測定対象セルのＲＳＲＰ（Reference Signal Received Power）、ＲＳＲＱ（Reference Signal Received Quality）又はＲＳ−ＳＩＮＲ（Reference Signal - Signal to Interference plus Noise power Ratio）を測定してもよい。なお、ＳＦＴＤ測定対象セルが隣接セルであって、かつセルが指定されない場合、受信環境が良い上位３つのセルをＳＦＴＤ測定対象セルとしてもよい。
【００３３】
ステップＳ１２３ａにおいて、ユーザ装置２０は、ＳＦＴＤ測定結果をＮＥ−ＤＣ用のＩＥ（Information Element）に格納し、測定結果をｍｅａｓＲｅｓｕｌｔｓに設定し、ステップＳ１２４ａに進む。ｍｅａｓＲｅｓｕｌｔｓは、ＭｅａｓｕｒｅｍｅｎｔＲｅｐｏｒｔに含まれるＩＥである。
【００３４】
ステップＳ１２４ａにおいて、ユーザ装置２０は、ＳＦＴＤに係るＮＲのＰＳＣｅｌｌ測定又は隣接セル測定が設定されているか否かを判定する。当該測定が設定されている場合（Ｓ１２４ａのＹＥＳ）、ステップＳ１２５ａに進み、当該測定が設定されていない場合（Ｓ１２４ａのＮＯ）、フローを終了する。
【００３５】
ステップＳ１２５ａにおいて、ユーザ装置２０は、ＳＦＴＤ測定対象セルと、ＮＲのＰＣｅｌｌとのＳＦＴＤ測定を実行する。さらに、ユーザ装置２０は、ＳＦＴＤ測定対象セルのＲＳＲＰを測定してもよい。なお、ＳＦＴＤ測定対象セルが隣接セルであって、かつセルが指定されない場合、受信環境が良い上位３つのセルをＳＦＴＤ測定対象セルとしてもよい。
【００３６】
ステップＳ１２６ａにおいて、ユーザ装置２０は、ＳＦＴＤ測定結果をＥＮ−ＤＣ用のＩＥに格納し、測定結果をｍｅａｓＲｅｓｕｌｔｓに設定し、フローを終了する。なお、ステップＳ１２２ａ及びＳ１２３ａと、ステップＳ１２５ａ及びＳ１２６ａとは、実行される時間が前後してもよいし、並行して実行されてもよい。
【００３７】
図５は、本発明の実施の形態における第２の動作例を説明するためのフローチャートである。ステップＳ１２は、図３に示されるステップＳ１２と同様である。図５に示されるフローチャートは、ＮＲ−ＤＣ又はＮＥ−ＤＣによる通信を行うユーザ装置２０によって実行される。マスタノードはｇＮＢであり、セカンダリノードはｇＮＢ又はｅＮＢである。
【００３８】
ステップＳ１２１ｂにおいて、ユーザ装置２０は、ＳＦＴＤに係るＥ−ＵＴＲＡのＰＳＣｅｌｌ測定又は隣接セル測定が設定されているか否かを判定する。当該測定が設定されている場合（Ｓ１２１ｂのＹＥＳ）、ステップＳ１２２ｂに進み、当該測定が設定されていない場合（Ｓ１２１ｂのＮＯ）、ステップＳ１２４ｂに進む。
【００３９】
ステップＳ１２２ｂにおいて、ユーザ装置２０は、ＳＦＴＤ測定対象セルと、ＮＲのＰＣｅｌｌとのＳＦＴＤ測定を実行する。さらに、ユーザ装置２０は、ＳＦＴＤ測定対象セルのＲＳＲＰ、ＲＳＲＱ又はＲＳ−ＳＩＮＲを測定してもよい。なお、ＳＦＴＤ測定対象セルが隣接セルであって、かつセルが指定されない場合、受信環境が良い上位３つのセルをＳＦＴＤ測定対象セルとしてもよい。
【００４０】
ステップＳ１２３ｂにおいて、ユーザ装置２０は、ＳＦＴＤ測定結果をＮＥ−ＤＣ又はＮＲ−ＤＣ用のＩＥに格納し、測定結果をｍｅａｓＲｅｓｕｌｔｓに設定し、ステップＳ１２４ｂに進む。
【００４１】
ステップＳ１２４ｂにおいて、ユーザ装置２０は、ＳＦＴＤに係るＮＲのＰＳＣｅｌｌ測定又は隣接セル測定が設定されているか否かを判定する。当該測定が設定されている場合（Ｓ１２４ｂのＹＥＳ）、ステップＳ１２５ｂに進み、当該測定が設定されていない場合（Ｓ１２４ｂのＮＯ）、フローを終了する。
【００４２】
ステップＳ１２５ｂにおいて、ユーザ装置２０は、ＳＦＴＤ測定対象セルと、ＮＲのＰＣｅｌｌとのＳＦＴＤ測定を実行する。さらに、ユーザ装置２０は、ＳＦＴＤ測定対象セルのＲＳＲＰ、ＲＳＲＱ又はＳＩＮＲを測定してもよい。なお、ＳＦＴＤ測定対象セルが隣接セルであって、かつセルが指定されない場合、受信環境が良い上位３つのセルをＳＦＴＤ測定対象セルとしてもよい。
【００４３】
ステップＳ１２６ｂにおいて、ユーザ装置２０は、ＳＦＴＤ測定結果をＮＥ−ＤＣ又はＮＲ−ＤＣ用のＩＥに格納し、測定結果をｍｅａｓＲｅｓｕｌｔｓに設定し、フローを終了する。なお、ステップＳ１２２ｂ及びＳ１２３ｂと、ステップＳ１２５ｂ及びＳ１２６ｂとは、実行される時間が前後してもよいし、並行して実行されてもよい。
【００４４】
図６は、本発明の実施の形態における動作例に係る仕様変更例である。図６に示されるように、ＭＲ−ＤＣにおけるＰＣｅｌｌとＰＳＣｅｌｌとのＳＦＴＤを測定することが規定されている。ＭＲ−ＤＣは、ＥＮ−ＤＣ、ＮＥ−ＤＣ及びＮＲ−ＤＣを含む。
【００４５】
図７は、本発明の実施の形態における第１の動作例に係る仕様変更例（１）である。図７に示されるように、情報要素ｒｅｐｏｒｔＳＦＴＤ−ＭｅａｓＮＥＤＣによって、ＮＥ−ＤＣにおけるＳＦＴＤ測定の報告に係る設定が行われる。また、情報要素ｒｅｐｏｒｔＳＦＴＤ−ＭｅａｓＮＲＤＣによって、ＮＲ−ＤＣにおけるＳＦＴＤ測定の報告に科ｋる設定が行われる。
【００４６】
図８は、本発明の実施の形態における第１の動作例に係る仕様変更例（２）である。図８に示されるように、情報要素ｃｅｌｌｓＦｏｒＷｈｉｃｈＴｏＲｅｐｏｒｔＳＦＴＤ−ＮＥＤＣ又は情報要素ｃｅｌｌｓＦｏｒＷｈｉｃｈＴｏＲｅｐｏｒｔＳＦＴＤ−ＮＲＤＣ以外を含むｍｅａｓＯｂｊｅｃｔを受信した場合の動作が規定されている。
【００４７】
図９は、本発明の実施の形態における第１の動作例に係る仕様変更例（３）である。図９に示されるように、情報要素ｒｅｐｏｒｔＳＦＴＤ−ＭｅａｓＮＥＤＣがＰＳＣｅｌｌに設定されている場合、ＮＲのＰＣｅｌｌとＥ−ＵＴＲＡのＰＳＣｅｌｌとのＳＦＴＤが報告される。一方、情報要素ｒｅｐｏｒｔＳＦＴＤ−ＭｅａｓＮＥＤＣが隣接セルに設定されている場合、ＮＲのＰＣｅｌｌとＥ−ＵＴＲＡの指定された周波数における１又は複数の隣接セルとのＳＦＴＤが報告される。
【００４８】
また、図９に示されるように、情報要素ｒｅｐｏｒｔＳＦＴＤ−ＭｅａｓＮＲＤＣがＰＳＣｅｌｌに設定されている場合、ＮＲのＰＣｅｌｌとＮＲのＰＳＣｅｌｌとのＳＦＴＤが報告される。一方、情報要素ｒｅｐｏｒｔＳＦＴＤ−ＭｅａｓＮＲＤＣが隣接セルに設定されている場合、ＮＲのＰＣｅｌｌとＮＲの指定された周波数における１又は複数の隣接セルとのＳＦＴＤが報告される。
【００４９】
図１０は、本発明の実施の形態における第１の動作例に係る仕様変更例（４）である。図１０に示されるように、情報要素ｒｅｐｏｒｔＳＦＴＤ−ＭｅａｓＮＲＤＣがＰＳＣｅｌｌに設定されている場合、ＮＲのＰＳＣｅｌｌが、ＳＦＴＤ測定対象セル（applicable cell）となる。情報要素ｒｅｐｏｒｔＳＦＴＤ−ＭｅａｓＮＲＤＣが隣接セルに設定されている場合、情報要素ｃｅｌｌｓＦｏｒＷｈｉｃｈＴｏＲｅｐｏｒｔＳＦＴＤ−ＮＲＤＣに含まれるセルがＳＦＴＤ測定対象セルとなるか、ＮＲの指定された周波数における情報要素ｃｅｌｌｓＦｏｒＷｈｉｃｈＴｏＲｅｐｏｒｔＳＦＴＤ−ＮＲＤＣに含まれるセルがＳＦＴＤ測定対象セルとなるか、又はＮＲの指定された周波数において情報要素ｂｌａｃｋＣｅｌｌｓＴｏＡｄｄＭｏｄＬｉｓｔに含まれないセルのうち受信環境が良い上位３つのセルがＳＦＴＤ測定対象セルとなる。
【００５０】
また、図１０に示されるように、情報要素ｒｅｐｏｒｔＳＦＴＤ−ＭｅａｓＮＥＤＣがＰＳＣｅｌｌに設定されている場合、Ｅ−ＵＴＲＡのＰＳＣｅｌｌが、ＳＦＴＤ測定対象セルとなる。情報要素ｒｅｐｏｒｔＳＦＴＤ−ＭｅａｓＮＥＤＣが隣接セルに設定されている場合、情報要素ｃｅｌｌｓＦｏｒＷｈｉｃｈＴｏＲｅｐｏｒｔＳＦＴＤ−ＮＥＤＣに含まれるセルがＳＦＴＤ測定対象セルとなるか、Ｅ−ＵＴＲＡの指定された周波数における情報要素ｃｅｌｌｓＦｏｒＷｈｉｃｈＴｏＲｅｐｏｒｔＳＦＴＤ−ＮＥＤＣに含まれるセルがＳＦＴＤ測定対象セルとなるか、又はＥ−ＵＴＲＡの指定された周波数において情報要素ｂｌａｃｋＣｅｌｌｓＴｏＡｄｄＭｏｄＬｉｓｔに含まれないセルのうち受信環境が良い上位３つのセルがＳＦＴＤ測定対象セルとなる。
【００５１】
図１１は、本発明の実施の形態における第１の動作例に係る仕様変更例（５）である。図１１に示されるように、ＰＣｅｌｌとＥ−ＵＴＲＡのセルとのＳＦＴＤ報告の最大遅延が設定される。また、ＰＣｅｌｌとＮＲのセルとのＳＦＴＤ報告の最大遅延が設定される。
【００５２】
図１２は、本発明の実施の形態における第１の動作例に係る仕様変更例（６）である。図１２に示されるように、Ｅ−ＵＴＲＡの隣接セル又はＰＳＣｅｌｌが測定対象セルである場合、情報要素ｐｈｙｓＣｅｌｌＩｄＥＵＴＲＡに測定対象セルのＥ−ＵＴＲＡの物理セルＩＤが設定される。情報要素ｓｆｎ−ＯｆｆｓｅｔＲｅｓｕｌｔと情報要素ｆｒａｍｅＢｏｕｎｄａｒｙＯｆｆｓｅｔＲｅｓｕｌｔに下位レイヤから取得した測定結果が設定される。情報要素ｒｅｐｏｒｔＱｕａｎｔｉｔｙにｒｓｒｐが設定されている場合、情報要素ｍｅａｓＲｅｓｕｌｔｓＥＵＴＲＡのｒｓｒｐに測定対象セルのＲＳＲＰが設定される。情報要素ｒｅｐｏｒｔＱｕａｎｔｉｔｙにｒｓｒｑが設定されている場合、情報要素ｍｅａｓＲｅｓｕｌｔｓＥＵＴＲＡのｒｓｒｑに測定対象セルのＲＳＲＱが設定される。情報要素ｒｅｐｏｒｔＱｕａｎｔｉｔｙにｓｉｎｒが設定されている場合、情報要素ｍｅａｓＲｅｓｕｌｔｓＥＵＴＲＡのｓｉｎｒに測定対象セルのＲＳ−ＳＩＮＲが設定される。
【００５３】
また、図１２に示されるように、ＮＲの隣接セル又はＰＳＣｅｌｌが測定対象セルである場合、情報要素ｐｈｙｓＣｅｌｌＩｄに測定対象セルのＮＲの物理セルＩＤが設定される。情報要素ｓｆｎ−ＯｆｆｓｅｔＲｅｓｕｌｔと情報要素ｆｒａｍｅＢｏｕｎｄａｒｙＯｆｆｓｅｔＲｅｓｕｌｔに下位レイヤから取得した測定結果が設定される。情報要素ｒｅｐｏｒｔＱｕａｎｔｉｔｙＣｅｌｌにｒｓｒｐが設定されている場合、情報要素ｒｓｒｐＲｅｓｕｌｔに測定対象セルのＲＳＲＰが設定される。
【００５４】
図１３は、本発明の実施の形態における第１の動作例に係る仕様変更例（７）である。図１３に示されるように、情報要素ＭｅａｓＲｅｓｕｌｔＣｅｌｌＳＦＴＤ−ＮＥＤＣは、Ｅ−ＵＴＲＡの物理セルＩＤが設定される情報要素ｐｈｙｓＣｅｌｌＩｄＥＵＴＲＡ、ＳＦＮオフセットが設定される情報要素ｓｆｎ−ＯｆｆｓｅｔＲｅｓｕｌｔ、フレーム境界オフセットが設定される情報要素ｆｒａｍｅＢｏｕｎｄａｒｙＯｆｆｓｅｔＲｅｓｕｌｔ、ＲＳＲＰ、ＲＳＲＱ及びＲＳ−ＳＩＮＲのいずれか又は複数が設定される情報要素ｍｅａｓＲｅｓｕｌｔＥＵＴＲＡを含む。
【００５５】
図１４は、本発明の実施の形態における第１の動作例に係る仕様変更例（８）である。図１４に示されるように、情報要素ｓｆｎ−ＯｆｆｓｅｔＲｅｓｕｌｔは、ＳＦＮオフセットが設定される。情報要素ｆｒａｍｅＢｏｕｎｄａｒｙＯｆｆｓｅｔＲｅｓｕｌｔには、フレーム境界オフセットが設定される。情報要素ｍｅａｓＲｅｓｕｌｔＥＵＴＲＡには、ＲＳＲＰ、ＲＳＲＱ及びＲＳ−ＳＩＮＲのいずれか又は複数が設定される。情報要素ｐｈｙｓＣｅｌｌＩｄには、ＮＲの物理セルＩＤが設定される。情報要素ｐｈｙｓＣｅｌｌＩｄＥＵＴＲＡには、Ｅ−ＵＴＲＡの物理セルＩＤが設定される。
【００５６】
図１５は、本発明の実施の形態における第１の動作例に係る仕様変更例（９）である。図１５に示されるように、情報要素ｒｅｐｏｒＳＦＴＤ−ＭｅａｓＮＥＤＣは、測定対象セルとしてＥ−ＵＴＲＡのＰＳＣｅｌｌ又は隣接セルを設定する。隣接セルが設定された場合、セルが直接指定されるか又は受信環境が良い上位３つのセルが測定対象セルとなる。
【００５７】
図１６は、本発明の実施の形態における第１の動作例に係る仕様変更例（１０）である。図１６に示されるように、情報要素ｒｅｐｏｒＳＦＴＤ−ＭｅａｓＮＲＤＣは、測定対象セルとしてＮＲのＰＳＣｅｌｌ又は隣接セルを設定する。隣接セルが設定された場合、セルが直接指定されるか又は受信環境が良い上位３つのセルが測定対象セルとなる。
【００５８】
図１７は、本発明の実施の形態における第２の動作例に係る仕様変更例（１）である。図１７に示されるように、Ｅ−ＵＴＲＡの隣接セル又はＰＳＣｅｌｌが測定対象セルである場合、情報要素ｐｈｙｓＣｅｌｌＩｄＥＵＴＲＡに測定対象セルのＥ−ＵＴＲＡの物理セルＩＤが設定される。情報要素ｓｆｎ−ＯｆｆｓｅｔＲｅｓｕｌｔと情報要素ｆｒａｍｅＢｏｕｎｄａｒｙＯｆｆｓｅｔＲｅｓｕｌｔに下位レイヤから取得した測定結果が設定される。情報要素ｒｅｐｏｒｔＱｕａｎｔｉｔｙにｒｓｒｐが設定されている場合、情報要素ｍｅａｓＱｕａｎｔｉｔｙＲｅｓｕｌｔｓＥＵＴＲＡのｒｓｒｐに測定対象セルのＲＳＲＰが設定される。情報要素ｒｅｐｏｒｔＱｕａｎｔｉｔｙにｒｓｒｑが設定されている場合、情報要素ｍｅａｓＱｕａｎｔｉｔｙＲｅｓｕｌｔｓＥＵＴＲＡのｒｓｒｑに測定対象セルのＲＳＲＱが設定される。情報要素ｒｅｐｏｒｔＱｕａｎｔｉｔｙにｓｉｎｒが設定されている場合、情報要素ｍｅａｓＱｕａｎｔｉｔｙＲｅｓｕｌｔｓＥＵＴＲＡのｓｉｎｒに測定対象セルのＲＳ−ＳＩＮＲが設定される。
【００５９】
また、図１７に示されるように、ＮＲの隣接セル又はＰＳＣｅｌｌが測定対象セルである場合、情報要素ｐｈｙｓＣｅｌｌＩｄに測定対象セルのＮＲの物理セルＩＤが設定される。情報要素ｓｆｎ−ＯｆｆｓｅｔＲｅｓｕｌｔと情報要素ｆｒａｍｅＢｏｕｎｄａｒｙＯｆｆｓｅｔＲｅｓｕｌｔに下位レイヤから取得した測定結果が設定される。情報要素ｒｅｐｏｒｔＱｕａｎｔｉｔｙＣｅｌｌにｒｓｒｐが設定されている場合、情報要素ｍｅａｓＱｕａｎｔｉｔｙＲｅｓｕｌｔｓに測定対象セルのＲＳＲＰが設定される。情報要素ｒｅｐｏｒｔＱｕａｎｔｉｔｙＣｅｌｌにｒｓｒｑが設定されている場合、情報要素ｍｅａｓＱｕａｎｔｉｔｙＲｅｓｕｌｔｓのｒｓｒｑに測定対象セルのＲＳＲＱが設定される。情報要素ｒｅｐｏｒｔＱｕａｎｔｉｔｙＣｅｌｌにｓｉｎｒが設定されている場合、情報要素ｍｅａｓＱｕａｎｔｉｔｙＲｅｓｕｌｔｓのｓｉｎｒに測定対象セルのＳＩＮＲが設定される。
【００６０】
図１８は、本発明の実施の形態における第２の動作例に係る仕様変更例（２）である。図１８に示されるように、情報要素ＭｅａｓＲｅｓｕｌｔＣｅｌｌＳＦＴＤ−ｒ１５は、Ｅ−ＵＴＲＡの物理セルＩＤが設定される情報要素ｐｈｙｓＣｅｌｌＩｄＥＵＴＲＡ又はＮＲの物理セルＩＤが設定される情報要素ＰｈｙｓＣｅｌｌＩＤ、ＳＦＮオフセットが設定される情報要素ｓｆｎ−ＯｆｆｓｅｔＲｅｓｕｌｔ、フレーム境界オフセットが設定される情報要素ｆｒａｍｅＢｏｕｎｄａｒｙＯｆｆｓｅｔＲｅｓｕｌｔ、ＲＳＲＰ、ＲＳＲＱ及びＲＳ−ＳＩＮＲのいずれか又は複数が設定される情報要素ｍｅａｓＱｕａｎｔｉｔｙＲｅｓｕｌｔｓＥＵＴＲＡ又はＲＳＲＰ、ＲＳＲＱ及びＳＩＮＲのいずれか又は複数が設定される情報要素ｍｅａｓＱｕａｎｔｉｔｙＲｅｓｕｌｔｓを含む。すなわち、情報要素ＭｅａｓＲｅｓｕｌｔＣｅｌｌＳＦＴＤ−ｒ１５は、ＮＥ−ＤＣにおけるＳＦＴＤ測定結果とＮＲ−ＤＣにおけるＳＦＴＤ測定結果の双方の報告に対応することができる情報要素である。
【００６１】
図１９は、本発明の実施の形態における第２の動作例に係る仕様変更例（３）である。図１９に示されるように、情報要素ｓｆｎ−ＯｆｆｓｅｔＲｅｓｕｌｔは、ＳＦＮオフセットが設定される。情報要素ｆｒａｍｅＢｏｕｎｄａｒｙＯｆｆｓｅｔＲｅｓｕｌｔには、フレーム境界オフセットが設定される。情報要素ｍｅａｓＲｅｓｕｌｔｓには、Ｅ−ＵＴＲＡのＲＳＲＰ、ＲＳＲＱ及びＲＳ−ＳＩＮＲのいずれか又は複数が設定されるか、ＮＲのＲＳＲＰ、ＲＳＲＱ及びＳＩＮＲのいずれか又は複数が設定される。情報要素ｐｈｙｓＣｅｌｌＩｄには、ＮＲの物理セルＩＤが設定される。情報要素ｐｈｙｓＣｅｌｌＩｄＥＵＴＲＡには、Ｅ−ＵＴＲＡの物理セルＩＤが設定される。
【００６２】
上述の実施例により、ユーザ装置２０は、Ｅ−ＵＴＲＡ又はＮＲの測定対象セルと、ＮＲのＰＣｅｌｌとのＳＦＴＤ測定を実行し、必要に応じてＲＳＲＰ、ＲＳＲＱ、ＳＩＮＲ測定結果を含むＳＦＴＤ測定結果の報告を基地局装置１０にすることができる。
【００６３】
すなわち、無線通信システムで実行されるデュアルコネクティビティにおけるタイミング差の測定をユーザ装置が実行することができる。
【００６４】
（装置構成）
次に、これまでに説明した処理及び動作を実行する基地局装置１０及びユーザ装置２０の機能構成例を説明する。基地局装置１０及びユーザ装置２０は上述した実施例を実施する機能を含む。ただし、基地局装置１０及びユーザ装置２０はそれぞれ、実施例の中の一部の機能のみを備えることとしてもよい。
【００６５】
＜基地局装置１０＞
図２０は、本発明の実施の形態における基地局装置１０の機能構成の一例を示す図である。図２０に示されるように、基地局装置１０は、送信部１１０と、受信部１２０と、設定部１３０と、制御部１４０とを有する。図２０に示される機能構成は一例に過ぎない。本発明の実施の形態に係る動作を実行できるのであれば、機能区分及び機能部の名称はどのようなものでもよい。
【００６６】
送信部１１０は、ユーザ装置２０側に送信する信号を生成し、当該信号を無線で送信する機能を含む。また、送信部１１０は、ネットワークノード間メッセージを他のネットワークノードに送信する。受信部１２０は、ユーザ装置２０から送信された各種の信号を受信し、受信した信号から、例えばより上位のレイヤの情報を取得する機能を含む。また、送信部１１０は、ユーザ装置２０へＮＲ−ＰＳＳ、ＮＲ−ＳＳＳ、ＮＲ−ＰＢＣＨ、ＤＬ／ＵＬ制御信号等を送信する機能を有する。また、受信部１２０は、ネットワークノード間メッセージを他のネットワークノードから受信する。
【００６７】
設定部１３０は、予め設定される設定情報、及び、ユーザ装置２０に送信する各種の設定情報を格納する。設定情報の内容は、例えば、ユーザ装置２０における各種測定の設定に使用する情報等である。
【００６８】
制御部１４０は、実施例において説明したように、ユーザ装置２０において実行される測定の設定に使用される情報の生成に係る制御、及びユーザ装置２０から受信した測定結果の処理に係る制御を行う。制御部１４０における信号送信に関する機能部を送信部１１０に含め、制御部１４０における信号受信に関する機能部を受信部１２０に含めてもよい。
【００６９】
＜ユーザ装置２０＞
図２１は、本発明の実施の形態におけるユーザ装置２０の機能構成の一例を示す図である。図２１に示されるように、ユーザ装置２０は、送信部２１０と、受信部２２０と、設定部２３０と、制御部２４０とを有する。図２１に示される機能構成は一例に過ぎない。本発明の実施の形態に係る動作を実行できるのであれば、機能区分及び機能部の名称はどのようなものでもよい。
【００７０】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１０から送信されるＮＲ−ＰＳＳ、ＮＲ−ＳＳＳ、ＮＲ−ＰＢＣＨ、ＤＬ／ＵＬ／ＳＬ制御信号等を受信する機能を有する。また、例えば、送信部２１０は、Ｄ２Ｄ通信として、他のユーザ装置２０に、ＰＳＣＣＨ（Physical Sidelink Control Channel）、ＰＳＳＣＨ（Physical Sidelink Shared Channel）、ＰＳＤＣＨ（Physical Sidelink Discovery Channel）、ＰＳＢＣＨ（Physical Sidelink Broadcast Channel）等を送信し、受信部１２０は、他のユーザ装置２０から、ＰＳＣＣＨ、ＰＳＳＣＨ、ＰＳＤＣＨ又はＰＳＢＣＨ等を受信する。
【００７１】
設定部２３０は、受信部２２０により基地局装置１０から受信した各種の設定情報を格納する。また、設定部２３０は、予め設定される設定情報も格納する。設定情報の内容は、例えば、測定を実行するための設定に係る情報等である。
【００７２】
制御部２４０は、実施例において説明したように、ユーザ装置２０における測定の実行及び報告に係る制御を行う。制御部２４０における信号送信に関する機能部を送信部２１０に含め、制御部２４０における信号受信に関する機能部を受信部２２０に含めてもよい。
【００７３】
（ハードウェア構成）
上記実施形態の説明に用いたブロック図（図２０及び図２１）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７４】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７５】
例えば、本開示の一実施の形態における基地局装置１０、ユーザ装置２０等は、本開示の無線通信方法の処理を行うコンピュータとして機能してもよい。図２２は、本開示の一実施の形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７６】
なお、以下の説明では、「装置」という文言は、回路、デバイス、ユニット等に読み替えることができる。基地局装置１０及びユーザ装置２０のハードウェア構成は、図に示した各装置を１つ又は複数含むように構成されてもよいし、一部の装置を含まずに構成されてもよい。
【００７７】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００７８】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００７９】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図２０に示した基地局装置１０の制御部１４０は、記憶装置１００２に格納され、プロセッサ１００１で動作する制御プログラムによって実現されてもよい。また、例えば、図２１に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００８０】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００８１】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００８２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェース等は、通信装置１００４によって実現されてもよい。送受信部は、送信部と受信部とで、物理的に、または論理的に分離された実装がなされてもよい。
【００８３】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００８４】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００８５】
また、基地局装置１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８６】
（実施の形態のまとめ）
以上、説明したように、本発明の実施の形態によれば、ＮＲ（New Radio）無線通信システムにおけるマスタノードである第１の基地局装置及びＮＲ無線通信システムにおけるセカンダリノードである第２の基地局装置と通信を行う通信部と、前記第１の基地局装置からシステムフレームナンバ及びフレームタイミングのセル間の差分を示すＳＦＴＤ（SFN and frame timing difference）を測定する指示を受信する受信部と、前記ＳＦＴＤを測定する指示に基づいて、前記第１の基地局装置のセルと前記第２の基地局装置のセルとのＳＦＴＤを測定する制御部と、前記測定されたＳＦＴＤを含む測定結果を前記第１の基地局装置に送信する送信部とを有するユーザ装置が提供される。
【００８７】
上記の構成により、ユーザ装置２０は、Ｅ−ＵＴＲＡの測定対象セルと、ＮＲのＰＣｅｌｌとのＳＦＴＤ測定を実行し、ＳＦＴＤ測定結果の報告を基地局装置１０にすることができる。すなわち、無線通信システムで実行されるデュアルコネクティビティにおけるタイミング差の測定をユーザ装置が実行することができる。
【００８８】
前記ＳＦＴＤを測定する指示は、前記第２の基地局装置のＰＳＣｅｌｌ（Primary Secondary Cell）又は前記第２の基地局装置の隣接セルのいずれがＳＦＴＤを測定する対象のセルであるかを示す情報を含んでもよい。当該構成により、ユーザ装置２０は、状況に応じて、ＳＦＴＤ測定対象セルを、ＰＳＣｅｌｌと隣接セルとで切り替えることができる。
【００８９】
前記いずれがＳＦＴＤを測定する対象のセルであるかを示す情報が、前記第２の基地局装置の隣接セルを示す場合、前記第２の基地局装置の隣接セルのうちいずれを測定するかを示す情報が前記ＳＦＴＤを測定する指示に含まれてもよい。当該構成により、ユーザ装置２０は、ＳＦＴＤ測定対象セルである隣接セルを指定することにより、効率良くＳＦＴＤ測定を実行することができる。
【００９０】
前記制御部は、前記いずれがＳＦＴＤを測定する対象のセルであるかを示す情報が前記第２の基地局装置の隣接セルを示す場合、かつ、前記ＳＦＴＤを測定する指示が前記第２の基地局装置の隣接セルのうちいずれを測定するかを示す情報を含まない場合、前記第２の基地局装置の隣接セルのうち受信環境が良い上位３つのセルをＳＦＴＤを測定する対象のセルとしてもよい。当該構成により、ユーザ装置２０は、ＳＦＴＤ測定対象セルである上位３つの隣接セルを測定することにより、効率良くＳＦＴＤ測定を実行することができる。
【００９１】
前記制御部は、前記ＳＦＴＤを測定する指示が、ＲＳＲＰ（Reference Signal Received Power）、ＲＳＲＱ（Reference Signal Received Quality）又はＳＩＮＲ（Signal to Interference plus Noise power Ratio）を測定する指示を含む場合、ＳＦＴＤを測定する対象のセルのＲＳＲＰ、ＲＳＲＱ又はＳＩＮＲを測定してもよい。当該構成により、ユーザ装置２０は、必要に応じてＲＳＲＰ、ＲＳＲＱ、ＳＩＮＲ測定結果を含むＳＦＴＤ測定結果の報告を基地局装置１０にすることができる。
【００９２】
前記送信部は、マスタノード及びセカンダリノードが共にＮＲ無線通信システムである場合のＳＦＴＤ測定と、マスタノードがＮＲ無線通信システムでありセカンダリノードがＬＴＥ無線通信システムである場合のＳＦＴＤ測定との双方に対応する情報要素を使用してもよい。当該構成により、ユーザ装置２０は、ＮＥ−ＤＣのＳＦＴＤ測定結果と、ＮＲ−ＤＣの測定結果とを基地局装置１０に共通の情報要素を用いて効率良く報告することができる。
【００９３】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９４】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００９５】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９６】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００９７】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び基地局装置１０以外の他のネットワークノード（例えば、ＭＭＥ又はＳ−ＧＷ等が考えられるが、これらに限られない）の少なくとも１つによって行われ得ることは明らかである。上記において基地局装置１０以外の他のネットワークノードが１つである場合を例示したが、他のネットワークノードは、複数の他のネットワークノードの組み合わせ（例えば、ＭＭＥ及びＳ−ＧＷ）であってもよい。
【００９８】
本開示において説明した情報又は信号等は、上位レイヤ（又は下位レイヤ）から下位レイヤ（又は上位レイヤ）へ出力され得る。複数のネットワークノードを介して入出力されてもよい。
【００９９】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１００】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【０１０１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０５】
本開示において使用する「システム」及び「ネットワーク」という用語は、互換的に使用される。
【０１０６】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１０７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１０８】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１０９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１３】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局装置１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１１４】
同様に、本開示におけるユーザ端末は、基地局で読み替えてもよい。この場合、上述のユーザ端末が有する機能を基地局が有する構成としてもよい。
【０１１５】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１１７】
参照信号は、ＲＳ（Reference  Signal）と略称することもでき、適用される標準によってパイロット（Pilot）と呼ばれてもよい。
【０１１８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１２０】
上記の各装置の構成における「手段」を、「部」、「回路」、「デバイス」等に置き換えてもよい。
【０１２１】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２２】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１２３】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１２４】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１２５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１２６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１２７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１２８】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１２９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１３０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１３１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１３２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１３３】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１３４】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１３５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１３６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１３７】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１３８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１３９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１４０】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１４１】
本開示において、例えば、英語でのa,  an及びtheのように、翻訳により冠詞が追加された場合、本開示は、これらの冠詞の後に続く名詞が複数形であることを含んでもよい。
【０１４２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１４３】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４４】
なお、本開示において、送信部２１０及び受信部２２０は、通信部の一例である。
【０１４５】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１４６】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020161907.tif 000003
【図２】
2020161907.tif 000004
【図３】
2020161907.tif 000005
【図４】
2020161907.tif 000006
【図５】
2020161907.tif 000007
【図６】
2020161907.tif 000008
【図７】
2020161907.tif 000009
【図８】
2020161907.tif 000010
【図９】
2020161907.tif 000011
【図１０】
2020161907.tif 000012
【図１１】
2020161907.tif 000013
【図１２】
2020161907.tif 000014
【図１３】
2020161907.tif 000015
【図１４】
2020161907.tif 000016
【図１５】
2020161907.tif 000017
【図１６】
2020161907.tif 000018
【図１７】
2020161907.tif 000019
【図１８】
2020161907.tif 000020
【図１９】
2020161907.tif 000021
【図２０】
2020161907.tif 000022
【図２１】
2020161907.tif 000023
【図２２】
2020161907.tif 000024
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
ＮＲ（Ｎｅｗ  Ｒａｄｉｏ）無線通信システムにおけるマスタノードである第１の基地局装置及びＮＲ無線通信システムにおけるセカンダリノードである第２の基地局装置と通信を行う通信部と、
前記第１の基地局装置からシステムフレームナンバ及びフレームタイミングのセル間の差分を示すＳＦＴＤ（ＳＦＮ  ａｎｄ  ｆｒａｍｅ  ｔｉｍｉｎｇ  ｄｉｆｆｅｒｅｎｃｅ）を測定する指示を受信する受信部と、
前記ＳＦＴＤを測定する指示に基づいて測定された、前記第１の基地局装置のセルと前記第２の基地局装置のセルとのＳＦＴＤの送信を制御する制御部と、
前記測定されたＳＦＴＤを含む測定結果を、マスタノードがＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）無線通信システムでありセカンダリノードがＮＲ無線通信システムである場合のＳＦＴＤ測定結果と同一のパラメータ構成を使用して前記第１の基地局装置に送信する送信部とを有する端末。
【請求項２】
前記ＳＦＴＤを測定する指示は、前記第２の基地局装置のＰＳＣｅｌｌ（Ｐｒｉｍａｒｙ  ＳＣＧ  Ｃｅｌｌ）又は前記第２の基地局装置の隣接セルがＳＦＴＤを測定する対象のセルであることを示す情報を含む請求項１記載の端末。
【請求項３】
前記ＳＦＴＤを測定する対象のセルであることを示す情報が、前記第２の基地局装置の隣接セルを示す場合、前記第２の基地局装置の隣接セルのうちいずれを測定するかを示す情報が前記ＳＦＴＤを測定する指示に含まれる請求項２記載の端末。
【請求項４】
前記制御部は、前記ＳＦＴＤを測定する指示が、ＲＳＲＰ（Ｒｅｆｅｒｅｎｃｅ  Ｓｉｇｎａｌ  Ｒｅｃｅｉｖｅｄ  Ｐｏｗｅｒ）を測定する指示を含む場合、ＳＦＴＤを測定する対象のセルのＲＳＲＰを測定する請求項１記載の端末。
【請求項５】
ＮＲ（Ｎｅｗ  Ｒａｄｉｏ）無線通信システムにおけるマスタノードである第１の基地局装置及びＮＲ無線通信システムにおけるセカンダリノードである第２の基地局装置と通信を行うステップと、
前記第１の基地局装置からシステムフレームナンバ及びフレームタイミングのセル間の差分を示すＳＦＴＤ（ＳＦＮ  ａｎｄ  ｆｒａｍｅ  ｔｉｍｉｎｇ  ｄｉｆｆｅｒｅｎｃｅ）を測定する指示を受信するステップと、
前記ＳＦＴＤを測定する指示に基づいて測定された、前記第１の基地局装置のセルと前記第２の基地局装置のセルとのＳＦＴＤの送信を制御するステップと、
前記測定されたＳＦＴＤを含む測定結果を、マスタノードがＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）無線通信システムでありセカンダリノードがＮＲ無線通信システムである場合のＳＦＴＤ測定結果と同一のパラメータ構成を使用して前記第１の基地局装置に送信するステップとを有する端末による通信方法。
【請求項６】
端末と、第１の基地局装置と、第２の基地局装置と、を備える無線通信システムであって、
前記端末は、
ＮＲ（Ｎｅｗ  Ｒａｄｉｏ）無線通信システムにおけるマスタノードである前記第１の基地局装置及びＮＲ無線通信システムにおけるセカンダリノードである前記第２の基地局装置と通信を行う通信部と、
前記第１の基地局装置からシステムフレームナンバ及びフレームタイミングのセル間の差分を示すＳＦＴＤ（ＳＦＮ  ａｎｄ  ｆｒａｍｅ  ｔｉｍｉｎｇ  ｄｉｆｆｅｒｅｎｃｅ）を測定する指示を受信する受信部と、
前記ＳＦＴＤを測定する指示に基づいて測定された、前記第１の基地局装置のセルと前記第２の基地局装置のセルとのＳＦＴＤの送信を制御する制御部と、
前記測定されたＳＦＴＤを含む測定結果を、マスタノードがＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）無線通信システムでありセカンダリノードがＮＲ無線通信システムである場合のＳＦＴＤ測定結果と同一のパラメータ構成を使用して前記第１の基地局装置に送信する送信部とを有する、
無線通信システム。
【国際調査報告】
2020161907.tif 000025
2020161907.tif 000026
2020161907.tif 000027
2020161907.tif 000028